(57)【要約】【課題】  背負い鞄が背負い易いベルト取付具を提供する。【解決手段】  背負い鞄の背当て部の上部に取着される本体１１と、本体１１に取着されて、背負い鞄の肩ベルト２と本体１１とを連結する左右１対の連結環１３とを有し、各連結環１３に取付部材１５が取着され、取付部材１５に肩ベルト２が取着され、取付部材１５は、略筒形状をなす筒状部１６を有して、筒状部１６内の挿通孔１６ｅに連結環１３が挿通され、取付部材１５に、連結環１３を軸とする取付部材１５の前方への回動を規制する取付部材回動規制部１７、１７が設けられているベルト取付具１。【選択図】  図３
0003108019.tif 000002
【実用新案登録請求の範囲】
【請求項１】
背負い鞄の背当て部の上部に取着される本体と、
前記本体に取着されて、前記背負い鞄の肩ベルトと前記本体とを連結する左右１対の連結環と、
を有するベルト取付具であって、
前記各連結環に、取付部材が取着され、
前記取付部材に、前記肩ベルトが取着され、
前記取付部材は、略筒形状をなす筒状部を有して、前記筒状部内の挿通孔に前記連結環が挿通され、
前記取付部材に、前記連結環を軸とする前記取付部材の前方への回動を規制する取付部材回動規制部が設けられている
ことを特徴とするベルト取付具。
【請求項２】
前記取付部材回動規制部が、前記筒状部の軸方向における端部から、前記連結環の起立状態における前部に沿って、前記連結環の曲り部に掛かるように延設され、
前記連結環を軸とする前記取付部材の前方への回動時に、前記取付部材回動規制部が前記連結環の前記前部に当接することにより、前記取付部材の前方への回動が規制されることを特徴とする請求項１記載のベルト取付具。
【請求項３】
前記取付部材に、前記取付部材に対する前記肩ベルトの回動を規制する肩ベルト回動規制部が設けられていることを特徴とする請求項２記載のベルト取付具。
【請求項４】
前記肩ベルト回動規制部は、前記連結環が起立し前記取付部材回動規制部が前記連結環の前記前部に当接した状態において、前記筒状部から略上方に突出するように設けられ、
前記肩ベルト回動規制部を挟むように、前記肩ベルトが前記筒状部に巻着されることを特徴とする請求項３記載のベルト取付具。
【請求項５】
前記取付部材に、前記取付部材に対する前記肩ベルトの回動を規制する肩ベルト回動規制部が設けられていることを特徴とする請求項１記載のベルト取付具。
【請求項６】
前記肩ベルト回動規制部は、前記筒状部の径方向における外方に突出するように、前記筒状部から突設され、
前記肩ベルト回動規制部を挟むように、前記肩ベルトが前記筒状部に巻着されることを特徴とする請求項５記載のベルト取付具。
【請求項７】
前記筒状部に、前記肩ベルト回動規制部を二分するように、軸方向における一端から他端まで、前記筒状部の外面から前記挿通孔に至る切れ目部が形成され、
前記切れ目部を開いて前記取付部材を前記連結環に嵌着することにより、前記挿通孔に前記連結環を挿通した状態となることを特徴とする請求項４または６記載のベルト取付具。
【請求項８】
前記筒状部の軸方向における中央部に、前記肩ベルトが巻着され、
前記筒状部の軸方向における端部に、前記筒状部の軸方向に沿った前記肩ベルトの移動を規制する肩ベルト移動規制部が設けられていることを特徴とする請求項１〜７のいずれかに記載のベルト取付具。
【請求項９】
請求項１〜８のいずれかに記載のベルト取付具が取着されたことを特徴とするランドセル。
【考案の詳細な説明】
【技術分野】
【０００１】
本考案は、肩ベルトをランドセル、リュックサック等の背負い鞄の背当て部上部に連結するために用いられるベルト取付具、及び、そのようなベルト取付具を用いたランドセルに関する。
【背景技術】
【０００２】
図５に示すように、従来のベルト取付具１０１は、本体１１１と、本体１１１に揺動可能に取着された左右一対の揺動部材１１２、１１２とを備えている。各揺動部材１１２の上端部１１２ａには、略三角形のリング状の連結環１１３が挿通され、連結環１１３は上下方向に回動自在とされている。そして、連結環１１３の略直線状をなす直線部１１３ａに、図中２点鎖線で示すように、肩ベルト（背負いベルト）１０２が巻着されて、肩ベルト１０２は連結環１１３を軸に回動自在とされている。そして、ベルト取付具１０１は、図６に示すように、ランドセルＲ１の背当て部１０３の上部１０３ａに取着される。
【考案の開示】
【考案が解決しようとする課題】
【０００３】
ところが、ベルト取付具１０１では、連結環１１３が回動自在とされているのみならず、肩ベルト１０２自体も連結環１１３を軸として回動自在とされている。このため、図６に示すように、ランドセルＲ１を背負ったときに、連結環１１３が前方に倒れ、さらに、連結環１１３よりも肩ベルト１０２が前方に倒れることとなって、肩ベルト１０２が過度に前方へ倒れることとなり、ランドセルＲ１と使用者の背中との間の空きが大きくなって、ランドセルＲが使用者の体にフィットせず、背負いにくいという問題があった。
【０００４】
この考案は、上述した問題を解決するものであり、背負い鞄が背負い易いベルト取付具、及び、そのようなベルト取付具を用いたランドセルを提供することを目的とする。
【課題を解決するための手段】
【０００５】
本考案のベルト取付具は、背負い鞄の背当て部の上部に取着される本体と、本体に取着されて、背負い鞄の肩ベルトと本体とを連結する左右１対の連結環と、を有するベルト取付具であって、各連結環に取付部材が取着され、取付部材に肩ベルトが取着され、取付部材は、略筒形状をなす筒状部を有して、筒状部内の挿通孔に連結環が挿通され、取付部材に、連結環を軸とする取付部材の前方への回動を規制する取付部材回動規制部が設けられていることを特徴とする。
【０００６】
ここで、請求項２記載のベルト取付具のように、取付部材回動規制部を、筒状部の軸方向における端部から、連結環の起立状態における前部に沿って、連結環の曲り部に掛かるように延設し、連結環を軸とする取付部材の前方への回動時に、取付部材回動規制部が連結環の前部に当接することにより、取付部材の前方への回動が規制されるようにすることができる。
【０００７】
そして、請求項２記載のベルト取付具のような取付部材回動規制部を設けた場合には、請求項３記載のベルト取付具のように、取付部材に、取付部材に対する肩ベルトの回動を規制する肩ベルト回動規制部を設けることが好ましく、更に、請求項４記載のベルト取付具のように、肩ベルト回動規制部を、連結環が起立し取付部材回動規制部が連結環の前部に当接した状態において、筒状部から略上方に突出するように設けて、肩ベルト回動規制部を挟むように、肩ベルトを筒状部に巻着することが好ましい。
【０００８】
また、請求項２記載のベルト取付具のような取付部材回動規制部を設けない場合においても、請求項５記載のベルト取付具のように、取付部材に、取付部材に対する肩ベルトの回動を規制する肩ベルト回動規制部を設けることが好ましく、更に、請求項６記載のベルト取付具のように、その肩ベルト回動規制部を、筒状部の径方向における外方に突出するように、筒状部から突設して、肩ベルト回動規制部を挟むように、肩ベルトを筒状部に巻着することが好ましい。
【０００９】
また、請求項７記載のベルト取付具のように、筒状部に、肩ベルト回動規制部を二分するように、軸方向における一端から他端まで、筒状部の外面から挿通孔に至る切れ目部を形成し、切れ目部を開いて取付部材を連結環に嵌着することにより、挿通孔に連結環を挿通した状態となることが好ましい。
【００１０】
さらに、請求項８記載のベルト取付具のように、筒状部の軸方向における中央部に、肩ベルトが巻着され、筒状部の軸方向における端部に、筒状部の軸方向に沿った肩ベルトの移動を規制する肩ベルト移動規制部を設けることが好ましい。
【００１１】
本考案のランドセルは、請求項１〜８のいずれかに記載のベルト取付具が取着されたことを特徴とする。
【考案の効果】
【００１２】
本考案のベルト取付具によれば、肩ベルトを取付部材に対する回動が規制されるように取付部材に取着すれば、取付部材は連結環を軸とする前方への回動が規制されることから、結局、肩ベルトは連結環を軸とする前方への回動が規制されることとなる。このため、肩ベルトが前方へ過度に倒れることを防止可能となり、背負い鞄と使用者の背中との間の空きを小さくすることが可能となって、背負い鞄が使用者の体にフィットし易くなり、背負い易くなる。
【００１３】
ここで、請求項４記載のベルト取付具によれば、肩ベルトが連結環を軸として前方へ回動しなくなった状態において、肩ベルトの取付部材からの延設方向と、連結環の向く方向とが略同じとなり、肩ベルトの上側端部が、連結環の前方への倒れ角度よりも大きい角度で前方へ倒れることがなくなり、肩ベルトの前方への過度の倒れを防止できる。また、使用者が肩ベルトを立ち上げようとしたときに、取付部材回動規制部に連結環が支持されて、肩ベルトと共に連結環が起立するため、肩ベルトが立ち上げ易くなり、背負い鞄が背負い易くなる。
【００１４】
同様に、請求項６記載のベルト取付具によっても、肩ベルト回動規制部の突出方向を適宜の方向とすることにより、肩ベルトを立ち上げ易くすることができる。
【００１５】
また、請求項７記載のベルト取付具は、切れ目部を開いて取付部材を連結環に嵌着することにより、挿通孔に連結環を挿通した状態となるので、連結環を伸ばした状態で取付部材に挿通する必要がなく、従来から使用されているリング状に曲げられた連結環をそのまま利用できる。このため、製造容易で、安価に製造できる。
【００１６】
また、請求項８記載のベルト取付具によれば、肩ベルトが筒状部の軸方向に沿って移動して連結環の曲り部に掛かってしまい、連結環を軸とする取付部材の回動範囲を必要以上に制限してしまったり、取付部材の円滑な回動を妨げたりすることを防止できる。
【００１７】
本考案のランドセルは、肩ベルトが前方へ過度に倒れることを防止可能となり、背負い鞄と使用者の背中との間の空きを小さくすることが可能となって、使用者の体にフィットし易くなり、背負い易くなる。
【考案を実施するための最良の形態】
【００１８】
以下、本考案の一実施形態を図面に基づいて説明する。
【００１９】
図１〜図３に示すように、ベルト取付具１は、本体１１と、本体１１の左右の側部に取着された左右一対の揺動部材１２、１２と、揺動部材１２、１２の上端部１２ａ、１２ａに取着された左右一対の連結環１３、１３と、連結環１３、１３に取着された取付部材１５、１５と、本体１１の中央部に取着された吊下環１４とを備えている。以下の説明において、本体１１乃至はベルト取付具１について、左右方向、前後方向、上下方向と言うときは、ベルト取付具１が取着されたランドセルＲを背負った状態（図４参照）での使用者にとっての左右方向、前後方向、上下方向にそれぞれ一致する方向を言う。
【００２０】
本体１１は、合成樹脂製で、内部が中空とされ、上端面には、揺動部材１２、１２が挿入される挿入口１１ａ、１１ａ（図３参照）と、吊下環１４が挿入される挿入口１１ｂ（図３参照）とが開口している。
【００２１】
各揺動部材１２は、合成樹脂製で、図２に示すように、下部が本体１１内部に軸１８により軸着されて、左右方向に揺動可能とされ、本体１１内部に配設されたバネ部材１９により、互いに近づく方向に付勢されている。各揺動部材１２の上部は、挿入口１１ａから上方に突出し、上端部１２ａは、左右方向に開口した略円筒形状に形成されている。
【００２２】
各連結環１３は、金属の丸棒を略三角形のリング状に折り曲げて形成され、両端部を上端部１２ａの両側から挿入することにより、両端部を軸として上下方向に回動可能に、上端部１２ａに取着されている。
【００２３】
各取付部材１５は、合成樹脂製で、略円筒形状をなす筒状部１６と、筒状部１６と一体形成され、筒状部１６の端部１６ａ、１６ａから延設された取付部材回動規制部１７、１７とから構成されている。筒状部１６は、軸方向における中央部１６ｂよりも、軸方向における端部１６ａ、１６ａが大径とされ、端部１６ａ、１６ａは肩ベルト移動規制部に相当する。
【００２４】
取付部材回動規制部１７、１７は、図１〜３に示すような連結環１３の起立状態において、連結環１３の前部に沿って、それぞれ連結環１３の曲り部１３ｂ、１３ｂに掛かるように延設されている。取付部材回動規制部１７、１７は、曲折した円筒形状を軸方向に沿って略半割りした形状とされており、取付部材１５が回動して、取付部材回動規制部１７、１７が連結環１３の前部に当接したときに、連結環１３の前部にゆとりを持って嵌合する形状とされている。
【００２５】
筒状部１６の中央部１６ｂには、筒状部１６の径方向における外方に突出する肩ベルト回動規制部１６ｃが設けられている。肩ベルト回動規制部１６ｃは、連結環１３が起立し、取付部材回動規制部１７、１７が連結環１３の前部に当接した状態において、略上方に突出する位置に形成されている。
【００２６】
また、筒状部１６には、筒状部１６の軸方向に沿って筒状部１６の一端から他端まで、切れ目部１６ｄが形成されている。切れ目部１６ｄは、筒状部１６の外面から筒状部１６内の挿通孔１６ｅ（図３参照）に至っており、肩ベルト回動規制部１６ｃを長手方向に沿って二分している。切れ目部１６ｄは、通常、閉じた状態である。
【００２７】
筒状部１６は、連結環１３の直線部１３ａに取着される。筒状部１６を取着するときは、肩ベルト回動規制部１６ｃの切れ目部１６ｄに工具等を差し込み、切れ目部１６ｄ全体を開く。そして、筒状部１６を直線部１３ａに嵌着すれば、挿通孔１６ｅに連結環１３が挿通された状態となる。取付部材１５は合成樹脂製であり弾性を有しているので、連結環１３に嵌着後、自然に切れ目部１６ｄが閉じる。なお、挿通孔１６ｅの径は、直線部１３ａの径よりも若干大きくされ、ゆとりを持って筒状部１６は直線部１３ａに冠着される。
【００２８】
図１〜３の２点鎖線に示すように、各筒状部１６の中央部１６ｂには、肩ベルト２の上側端部２１が巻着される。そして、図４に示すように、肩ベルト２は、筒状部１６に至る前の部分と筒状部１６に巻着されて戻ってきた部分とが重ね合わされて、互いに縫着されるが、このとき、肩ベルト回動規制部１６ｃを間に挟むように縫着される。すると、肩ベルト２は、取付部材１５に対して回動不能となる。なお、回動を規制するとは、全く回動できないようにする場合（すなわち、回動不能とする場合）と、回動を所定範囲に規制する場合（すなわち、所定範囲でのみ回動できるようにする場合）とを含む意である。
【００２９】
ベルト取付具１の本体１１は、図４に示すように、ランドセルＲの背当て部３の上部３ａに取着される。各肩ベルト２の上側端部２１は、上述したように、ベルト取付具１の取付部材１５に巻着され、下側端部２２は、ランドセルＲの底部６に、取付具４を介して取着される。
【００３０】
以上のように構成されたランドセルＲを使用者が背負うと、各肩ベルト２は前方に引っ張られるが、肩ベルト回動規制部１６ｃにより取付部材１５に対する肩ベルト２の回動が規制されているため、各肩ベルト２と共に各取付部材１５が前方に引っ張られて、各取付部材１５は、連結環１３を軸として前方（図４の矢印Ａに示す方向）へ回動する。ところが、図４に示すように、各取付部材１５の取付部材回動規制部１７、１７が連結環１３の前部に当接して、各取付部材１５はそれ以上前方に回動しないため、各肩ベルト２も連結環１３を軸としてそれ以上前方には回動しなくなる。このため、各肩ベルト２が前方へ過度に倒れることを防止可能であって、ランドセルＲと使用者の背中との間の空きを小さくでき、ランドセルＲが使用者の体にフィットし易くなって、背負い易くなる。
【００３１】
特に、ベルト取付具１では、肩ベルト回動規制部１６ｃを挟むように肩ベルト２を巻着することにより、肩ベルト回動規制部１６ｃの突出方向と、肩ベルト２の取付部材１５からの延設方向とが略同じとされている。そして、取付部材回動規制部１７、１７が連結環１３の前部に当接した状態、すなわち、肩ベルト２が連結環１３を軸として前方へ回動しなくなった状態において、肩ベルト回動規制部１６ｃの突出方向と、連結環１３の向く方向とが同じとされていることから、肩ベルト２の取付部材１５からの延設方向と、連結環１３の向く方向とが略同じになり、肩ベルト２の上側端部２１が、連結環１３の前方への倒れ角度よりも大きい角度で前方へ倒れることがなくなり、肩ベルト２の前方への過度の倒れを防止できる。
【００３２】
また、使用者がランドセルＲを背負うために、各肩ベルト２を引っ張って立ち上げようとしたときには、各肩ベルト２と共に各肩ベルト回動規制部１６ｃが略上方を向いて、取付部材回動規制部１７、１７が各連結環１３の前部に当接した状態となるので、各連結環１３が取付部材回動規制部１７、１７に支持されて、各肩ベルト２と共に各連結環１３が起立することとなる。このため、各肩ベルト２が立ち上げ易くなり、ランドセルＲが背負い易くなる。
【００３３】
一方、ランドセルＲの箱等への収納時には、各肩ベルト２を後方に回動させればコンパクトに収納できるが、各取付部材１５は、取付部材回動規制部１７、１７が連結環１３の前部に当接した状態から、後方へ所定範囲回動するので、ランドセルＲは、各肩ベルト２を後方に回動させることができ、コンパクトな収納が可能となる。なお、各取付部材１５を後方へ回動させると、取付部材回動規制部１７、１７は、連結環１３の前部から離脱して前方へ跳ね上がった状態となり、やがては取付部材回動規制部１７、１７の筒状部１６側の端部付近が連結環１３に当接して、各取付部材１５の後方への回動を止めることとなる。
【００３４】
なお、本実施形態では、ベルト取付具１を取着する背負い鞄をランドセルＲとしたが、ベルト取付具１を、リュックサック等、他の種類の背負い鞄に取着してもよい。
【００３５】
また、本体１１、各揺動部材１２、または、取付部材１５を、合成樹脂製ではなく金属製や木製としてもよい。また、連結環１３を、略三角形状とせず、略四角形のリング状としてもよい。
【００３６】
また、肩ベルト２を取付部材１５に対して所定範囲回動するように構成してもよい。例えば、ある程度の突出高さを有する肩ベルト回動規制部１６ｃを、肩ベルト２との間に空きを有して肩ベルト２に挟んだ状態、すなわち、肩ベルト２の筒状部１６に至る前の部分と筒状部１６に巻着されて戻ってきた部分との間に形成された空間部に配置した状態とすれば、肩ベルト２が取付部材１５に対して所定範囲回動した時点で、肩ベルト回動規制部１６ｃが肩ベルト２に当接し、それ以上、肩ベルト２は取付部材１５に対して回動しなくなる。このように、肩ベルト２は必ずしも取付部材１５に固着しなくてもよい。
【００３７】
また、取付部材１５に肩ベルト回動規制部１６ｃを設けなくてもよく、肩ベルト回動規制部１６ｃを設けない場合には、例えば接着によって肩ベルト２を取付部材１５に固着すること等により、取付部材１５に対する肩ベルト２の回動を規制すれば、取付部材１５は連結環１３を軸とする前方への回動が規制されているので、肩ベルト２は連結環１３を軸とする前方への回動が規制されることとなる。このため、肩ベルト２が前方へ過度に倒れることを防止可能となり、ランドセルＲと使用者の背中との間の空きを小さくでき、ランドセルＲが使用者の体にフィットし易くなって、背負い易くなる。
【００３８】
また、取付部材回動規制部１７、１７の形状も種々の形状を採り得るが、連結環１３の支持等のためには、当接時に連結環１３の前部に嵌合するような形状であることが望ましい。
【００３９】
すなわち、実用新案登録請求の範囲を逸脱しない範囲で、本考案は種々の構成を採り得る。
【図面の簡単な説明】
【００４０】
【図１】本考案の一実施形態に係るベルト取付具の正面図である。
【図２】同ベルト取付具の背面図である。
【図３】同ベルト取付具の斜視図である。
【図４】同ベルト取付具を取着したランドセルを背負った状態の説明図である。
【図５】従来のベルト取付具の正面図である。
【図６】従来のベルト取付具を取着したランドセルを背負った状態の説明図である。
【符号の説明】
【００４１】
１…ベルト取付具
２…肩ベルト
３…背当て部
３ａ…上部
１１…本体
１３…連結環
１５…取付部材
１６…筒状部
１６ａ…端部（肩ベルト移動規制部）
１６ｂ…中央部
１６ｃ…肩ベルト回動規制部
１６ｄ…切れ目部
１６ｅ…挿通孔
１７…取付部材回動規制部
Ｒ…ランドセル
【図１】
0003108019.tif 000003
【図２】
0003108019.tif 000004
【図３】
0003108019.tif 000005
【図４】
0003108019.tif 000006
【図５】
0003108019.tif 000007
【図６】
0003108019.tif 000008